(57)【要約】      （修正有）【課題】歯列の矯正に用いるブラケットを歯面の所定位置に正確に取り付けることができ、ブラケットの取り付けに際して熟練度を必要としないブラケット取付具を提供する。【解決手段】ブラケットを歯に位置決めした状態で固定させうるブラケット取付具１０は、把持軸部１１と、把持軸部１１の端部に設けられたブラケット取付部１２，１２とを有し、ブラケット取付部１２には、ブラケットを保持しうる保持部１３と、保持部１３から所定間隔Ｌ１をおいて離間して配置されたガイド部１４を有し、ガイド部１４は、保持部１３に保持されたブラケットが歯面１７と当接した場合に歯の切端部１８に当接し、ブラケットを歯の歯肉からの突出量に拘らず歯の切端部から離れた歯面の一定の高さ位置にガイドしうる。【選択図】図１
0003122411.tif 000002
【実用新案登録請求の範囲】
【請求項１】
歯科矯正治療においてブラケットを歯に位置決めした状態で固定させうるブラケット取付具であって、
把持軸部と、上記把持軸部の端部に設けられたブラケット取付部とを有し、
上記ブラケット取付部には、ブラケットを保持しうる保持部と、上記保持部から所定間隔をおいて離間して配置されたガイド部とを有し、
上記ガイド部は、上記保持部に保持された上記ブラケットが歯面と当接した場合に歯の切端部に当接し、上記ブラケットを歯の歯肉からの突出量に拘らず歯の切端部から離れた歯面の一定の高さ位置にガイドしうることを特徴とするブラケット取付具。
【請求項２】
上記保持部は、長さ方向において上記把持軸部の軸中心と同位置に設けられ、
上記ガイド部は、上記把持軸部の軸中心よりも所定寸法分離間して設けられていることを特徴とする請求項１記載のブラケット取付具。
【請求項３】
上記ブラケット取付具は、前歯及び小臼歯用の金属製ブラケットの取付具であって、
上記保持部は、上記把持軸部の先端部から突出して設けられていることを特徴とする請求項１及び２記載のブラケット取付具。
【請求項４】
上記保持部は、側面テーパ状に形成され、ブラケットの溝部に挿入してブラケットの溝部と係合しうる厚さ寸法であると共にブラケットの溝部の長さ寸法と略同一の幅寸法であることを特徴とする請求項３記載のブラケット取付具。
【請求項５】
上記保持部及び上記把持軸部は、合成樹脂製であることを特徴とする請求項３及び４記載のブラケット取付具。
【請求項６】
上記ブラケット取付具は、前歯及び小臼歯用のプラスチック製ブラケットの取付具であって、
上記保持部は、その先端部に開口して設けられ、溶融プラスチックを流入固化させてブラケットを形成させうるブラケット形成空隙部を有していることを特徴とする請求項１及び２記載のブラケット取付具。
【請求項７】
上記ブラケット形成空隙部は、先端部に開口して設けられ、歯面に当接しうる開口を有する第一の空隙部と、上記第一の空隙部に連続して設けられた接続空隙部と、上記接続空隙部に連続して設けられた第二の空隙部とを有し、
上記接続空隙部は、上記第一の空隙部及び第二の空隙部よりも細幅に形成されていることを特徴とする請求項６記載のブラケット取付具。
【請求項８】
上記把持軸部の先端部には、挿通固定口部が設けられ、
上記保持部は、シリコン製であり、上記挿通固定口部に着脱可能に固定されていることを特徴とする請求項６及び７記載のブラケット取付具。
【請求項９】
上記把持軸部及び上記ガイド部は、合成樹脂製であることを特徴とする請求項６〜８記載のブラケット取付具。
【請求項１０】
上記ブラケット取付具は、大臼歯用の金属製ブラケットの取付具であって、
上記保持部は、大臼歯用ブラケットに挿通して保持しうる挿通保持片を有し、
上記挿通保持片は、上記把持軸部の先端部から前方に離間して設けられると共に、上記把持軸部の幅方向に沿って配置されていることを特徴とする請求項１及び２記載のブラケット取付具。
【請求項１１】
上記把持軸部の先端部には、係合凹溝が設けられ、
上記保持部は、上記係合凹溝と係合する係合片を有し、
上記係合片は、上記挿通保持片と対向して設けられていることを特徴とする請求項１０記載のブラケット取付具。
【請求項１２】
上記係合片の端部には、爪片が設けられ、
上記係合凹溝には、上記爪片と係合する係合穴部が形成されていることを特徴とする請求項１０及び１１記載のブラケット取付具。
【請求項１３】
上記把持軸部及び上記ガイド部は、合成樹脂製であり、上記保持部は、金属製であることを特徴とする請求項１０〜１２記載のブラケット取付具。
【請求項１４】
上記ガイド部は、上記把持軸部の先端部から側方へ折曲して突出形成されていることを特徴とする請求項１〜１３記載のブラケット取付具。
【請求項１５】
上記ガイド部は、側面略Ｌ字状に形成され、先端部は上記保持部よりも前出していることを特徴とする請求項１〜１４記載のブラケット取付具。
【請求項１６】
上記ガイド部が上記保持部から離間している間隔は、３．５ｍｍ、４．０ｍｍ、４．５ｍｍ又は５．０ｍｍであることを特徴とする請求項１〜１５記載のブラケット取付具。
【請求項１７】
上記ガイド部は、細長板状の歯当接部を有し、
歯当接部には、上記ガイド部が歯の切端部に当接した場合に、歯の幅方向中央部に上記保持部を配置させうる中心線が設けられていることを特徴とする請求項１〜１６記載のブラケット取付具。
【請求項１８】
上記ブラケット取付部は、上記把持軸部に対して所定角度傾斜して設けられていることを特徴とする請求項１〜１７記載のブラケット取付具。
【請求項１９】
上記ブラケット取付部は、把持軸部の長さ方向に対して１２５°傾斜して設けられていることを特徴とする請求項１〜１７記載のブラケット取付具。
【請求項２０】
上記ブラケット取付部は、上記把持軸部の両端部に一対に設けられ、
その各々が、上記把持軸部の幅方向において反対方向に突出して配置されると共に、上記把持軸部の高さ方向において反転して配置されていることを特徴とする請求項１〜１９記載のブラケット取付具。
【請求項２１】
上記把持軸部は、断面八角形に形成されると共に、両端部側の各々の所定位置には、外方に膨出した膨出部が形成されていることを特徴とする請求項１〜２０記載のブラケット取付具。
【考案の詳細な説明】
【技術分野】
【０００１】
本考案は、歯列の矯正に用いるブラケット取付具に係り、特に、ブラケットの保持と取付位置の設定が可能なブラケット取付具に関するものである。
【背景技術】
【０００２】
従来から、歯の審美機能、発音機能、咀嚼機能等を回復するために、歯列を矯正して前後方向において均等に配列させる歯科矯正治療が行われている。
このような歯列の矯正には、「ブラケット」と呼ばれる部材が用いられており、矯正の対象となる複数の歯面に取り付けた後に、各々のブラケットが一本の形状記憶型のワイヤで係止され、ワイヤの復元力を利用し、時間の経過により歯列を均等に配列する。
【０００３】
このような歯列の矯正を正確に行うためには、隣接した各々のブラケットが均一の高さに取り付けられている必要がある。
ブラケットの高さが不均一となるように取り付けた場合、そのブラケットに係止したワイヤが上下方向に湾曲してしまう。そのため、ワイヤに高さ方向の復元力が作用することとなり、矯正の過程において歯が高さ方向に移動してしまい、歯科矯正治療に大きな影響を与えてしまう。
したがって、歯列の矯正においては、ブラケットを歯面の中心位置に正確に取り付けることにより、隣接した歯面と均一な高さにブラケットが位置決めされることが最も重要な作業である。
歯面の中心位置は、学術的に決定されており、ブラケットの取り付けに際して、コンマ数ｍｍ単位の微調整が必要となる。
歯の種類は、前歯と奥歯に分類され、前歯には、中切歯、側切歯、犬歯があり、奥歯には、小臼歯、大臼歯がある。
これらの歯の種類に合わせて、形状が異なる前歯及び小臼歯用のブラケットと大臼歯用のブラケットが存在し、取り付け方法及び取付具が異なる。
【０００４】
従来から一般的に用いられている前歯及び小臼歯用のブラケットの取り付け方法の一例として、歯の切端部からブラケットを取り付ける歯面の所定位置までの寸法を指示する指示針を用いた取り付け方法が存在する。
上記の方法は、ピンセット等によりブラケットを把持し、接着剤が塗布されたブラケットを歯面の中央付近に押し付けた後に、歯の切端部を基準位置として、ブラケットを取り付ける歯面の所定位置を上記指示針を用いて計測し、微調整を行うことによりブラケットが位置決めされて取り付けられる。
この場合、ブラケットを歯面の中心位置に取り付ける際に、歯科医師の目視にて微調整しなければならず、経験と勘によって歯面の取り付け位置を決定することとなるため、取り付けに際しては熟練度を要する。
また、指示針単独ではブラケットを保持することはできないため、ピンセット等によりブラケットを保持する必要があり、２種類の器具を同時に使用することとなるため、作業は煩雑になる。
【０００５】
また、前歯及び小臼歯用のブラケット取付具にあっては、従来から金属製のものが存在しており、ブラケットに形成された溝部に圧入しうるブラケット保持部を有している。
このような金属製の取付具は剛性が高く、溝部に圧入した際にブラケット保持部が収縮することが無い。
したがって、溝部がブラケット保持部よりも大きい場合に圧入することができず、溝部がブラケット保持部よりも小さい場合に確実に支持することが困難であるため、安定してブラケットを保持することができず、汎用性に欠けるという問題があった。
【０００６】
上記した従来例は、主に、金属製のブラケットを対象とした方法及び器具であるが、審美性を重視した場合や、隣接する少数の歯のみを矯正する場合には、プラスチック製ブラケットが用いられる。
このプラスチック製ブラケットの取り付けは、光重合型のプラスチック材料を歯面に当てた状態で  光を照射することにより硬化させることにより行われる。
この場合、ブラケットに輪ゴムやパワーチェーン等を係合しうるような係合部を設ける必要があり、係合部の形成と歯面への取り付け位置の決定を同時に決定しなければならないが、これらを同時に行うことができるブラケット取付具は存在しない。
【０００７】
その一方で、大臼歯は、最も奥にあることから、上記のような取り付け方法や取付具を用いることができない。
また、前歯及び小臼歯用のブラケットのような溝部が設けられておらず、図１４に示すように、ワイヤを歯面に沿って挿通しうるワイヤ挿通口２０が形成されており、このワイヤ挿通口２０を利用して取り付けられている。
この場合であっても、前歯及び小臼歯用のブラケットと同様に、位置決めする必要があるが、位置決めできるような大臼歯用のブラケット取付具は存在しない。
【考案の開示】
【考案が解決しようとする課題】
【０００８】
そこで、本考案の課題は、歯列の矯正に用いるブラケットを歯面の所定位置に正確に取り付けることができ、ブラケットの取り付けに際して熟練度を必要としないブラケット取付具を提供することを目的とすることにある。
【課題を解決するための手段】
【０００９】
上記目的を達成するために、請求項１記載の考案は、歯科矯正治療においてブラケットを歯に位置決めした状態で固定させうるブラケット取付具であって、把持軸部と、上記把持軸部の端部に設けられたブラケット取付部とを有し、上記ブラケット取付部には、ブラケットを保持しうる保持部と、上記保持部から所定間隔をおいて離間して配置されたガイド部とを有し、上記ガイド部は、上記保持部に保持された上記ブラケットが歯面と当接した場合に歯の切端部に当接し、上記ブラケットを歯の歯肉からの突出量に拘らず歯の切端部から離れた歯面の一定の高さ位置にガイドしうることを特徴とする。
【００１０】
即ち、請求項１記載の本考案に係るブラケット取付具にあっては、ブラケットを保持部で保持し、歯の切端部にガイド部を当接した状態でブラケットを歯面に取り付ける際に、歯の切端部から離れた歯面の一定の高さ位置にガイドすることができる。
【００１１】
また、請求項２記載の考案は、上記保持部は、長さ方向において上記把持軸部の軸中心と同位置に設けられ、上記ガイド部は、上記把持軸部の軸中心よりも所定寸法分離間して設けられている。
【００１２】
即ち、請求項２記載の本考案に係るブラケット取付具にあっては、保持部に保持されたブラケットを歯面に取り付ける際に、強く押し付けることができるように、上記保持部が長さ方向において上記把持軸部の軸中心と同位置に設けられている。
【００１３】
また、請求項３記載の考案は、上記ブラケット取付具は、前歯及び小臼歯用の金属製ブラケットの取付具であって、上記保持部は、上記把持軸部の先端部から突出して設けられている。
【００１４】
また、請求項４記載の考案は、上記保持部は、側面テーパ状に形成され、ブラケットの溝部に挿入してブラケットの溝部と係合しうる厚さ寸法であると共にブラケットの溝部の長さ寸法と略同一の幅寸法である。
【００１５】
また、請求項５記載の考案は、上記保持部及び上記把持軸部は、合成樹脂製である。
【００１６】
即ち、請求項５記載の本考案に係るブラケット取付具にあっては、保持部が金属製に比べて弾性変形し易く、かつ、把持軸部が軽量となるように形成されている。
【００１７】
また、請求項６記載の考案は、上記ブラケット取付具は、前歯及び小臼歯用のプラスチック製ブラケットの取付具であって、上記保持部は、その先端部に開口して設けられ、溶融プラスチックを流入固化させてブラケットを形成させうるブラケット形成空隙部を有している。
【００１８】
また、請求項７記載の考案は、上記ブラケット形成空隙部は、先端部に開口して設けられ、歯面に当接しうる開口を有する第一の空隙部と、上記第一の空隙部に連続して設けられた接続空隙部と、上記接続空隙部に連続して設けられた第二の空隙部とを有し、上記接続空隙部は、上記第一の空隙部及び第二の空隙部よりも細幅に形成されている。
【００１９】
即ち、請求項７記載の本考案に係るブラケット取付具にあっては、ブラケット形成空隙部に溶融プラスチックを流入して固化させることにより、プラスチック製ブラケットにパワーチェーンや輪ゴムを係合することができる細幅部位を容易に形成することができるように構成されている。
【００２０】
また、請求項８記載の考案は、上記把持軸部の先端部には、挿通固定口部が設けられ、上記保持部は、シリコン製であり、上記挿通固定口部に着脱可能に固定されている。
【００２１】
即ち、請求項８記載の本考案に係るブラケット取付具にあっては、ブラケット形成空隙部を押し広げることができると共に、シリコン製の保持部を定期的に交換できるように構成されている。
【００２２】
また、請求項９記載の考案は、上記把持軸部及び上記ガイド部は、合成樹脂製である。
【００２３】
即ち、請求項９記載の本考案に係るブラケット取付具にあっては、上記把持軸部及び上記ガイド部が金属製に比べて軽量となるように形成されている。
【００２４】
また、請求項１０記載の考案は、上記ブラケット取付具は、大臼歯用の金属製ブラケットの取付具であって、上記保持部は、大臼歯用ブラケットに挿通して保持しうる挿通保持片を有し、上記挿通保持片は、上記把持軸部の先端部から前方に離間して設けられると共に、上記把持軸部の幅方向に沿って配置されている。
【００２５】
即ち、請求項１０記載の本考案に係るブラケット取付具にあっては、ワイヤ挿通口が設けられた大臼歯用の金属製ブラケットを取り付ける際に容易に位置決めすることができるように構成されている。
【００２６】
また、請求項１１記載の考案は、上記把持軸部の先端部には、係合凹溝が設けられ、上記保持部は、上記係合凹溝と係合する係合片を有し、上記係合片は、上記挿通保持片と対向して設けられている。
【００２７】
即ち、請求項１１記載の本考案に係るブラケット取付具にあっては、挿通保持片と対向した係合片が把持軸部の先端部に係合されることにより、挿通保持片を安定して保持することができるように構成されている。
【００２８】
また、請求項１２記載の考案は、上記係合片の端部には、爪片が設けられ、上記係合凹溝には、上記爪片と係合する係合穴部が形成されている。
【００２９】
即ち、請求項１２記載の本考案に係るブラケット取付具にあっては、爪片と係合穴部が係合することにより、挿通保持片を把持軸部の幅方向において確実に固定することができるように構成されている。
【００３０】
また、請求項１３記載の考案は、上記把持軸部及び上記ガイド部は、合成樹脂製であり、上記保持部は、金属製である。
【００３１】
また、請求項１４記載の考案は、上記ガイド部は、上記把持軸部の先端部から側方へ折曲して突出形成されている。
【００３２】
また、請求項１５記載の考案は、上記ガイド部は、側面略Ｌ字状に形成され、先端部は上記保持部よりも前出している。
【００３３】
即ち、請求項１４及び１５記載の本考案に係るブラケット取付具にあっては、ガイド部と歯の切端部との当接と、保持部に保持されたブラケットと歯面との当接を同時に行うことができるように形成されている。
【００３４】
また、請求項１６記載の考案は、上記ガイド部が上記保持部から離間している間隔は、３．５ｍｍ、４．０ｍｍ、４．５ｍｍ又は５．０ｍｍである。
【００３５】
即ち、請求項１６記載の本考案に係るブラケット取付具にあっては、歯の大きさ及び形状が異なっている場合であっても、歯の切端部から離れた歯面の一定の高さ位置に揃えることができるように構成されている。
【００３６】
また、請求項１７記載の考案は、上記ガイド部は、細長板状の歯当接部を有し、歯当接部には、上記ガイド部が歯の切端部に当接した場合に、歯の幅方向中央部に上記保持部を配置させうる中心線が設けられている。
【００３７】
また、請求項１８記載の考案は、上記ブラケット取付部は、上記把持軸部に対して所定角度傾斜して設けられている。
【００３８】
また、請求項１９記載の考案は、上記ブラケット取付部は、把持軸部の長さ方向に対して１２５°傾斜して設けられている。
【００３９】
即ち、請求項１８及び請求項１９記載の本考案に係るブラケット取付具にあっては、ブラケットを取り付ける際に、把持部が邪魔にならず、ブラケットの取り付け部位を目視することができるように、上記ブラケット取付部が上記把持軸部に対して所定角度傾いて設けられている。
【００４０】
また、請求項２０記載の考案は、上記ブラケット取付部は、上記把持軸部の両端部に一対に設けられ、その各々が、上記把持軸部の幅方向において反対方向に突出して配置されると共に、上記把持軸部の高さ方向において反転して配置されている。
【００４１】
即ち、請求項２０記載の本考案に係るブラケット取付具にあっては、一のブラケット取付部を使用している際に、ブラケット取付具を把持しながら反転させることにより、他のブラケット取付部を使用することができるように形成されている。
【００４２】
また、請求項２１記載の考案は、上記把持軸部は、断面八角形に形成されると共に、両端部側の各々の所定位置には、外方に膨出した膨出部が形成されている。
【００４３】
即ち、請求項２１記載の本考案に係るブラケット取付具にあっては、把持軸部が、把持しやすい形状であると共に、ブラケットを歯面に押し付ける際に力を入れやすい形状となるように形成されている。
【考案の効果】
【００４４】
請求項１記載の本考案に係るブラケット取付具は、ブラケットを保持部で保持し、歯の切端部にガイド部を当接した状態でブラケットを歯面に取り付ける際に、歯の歯肉からの突出量に拘らず歯の切端部から離れた歯面の一定の高さ位置にガイドすることができるため、正確なブラケットの取り付け位置を決定することができる。
そのため、ブラケット取付具のみで、隣接した歯と均一な高さにブラケットが位置決めされることとなるため、従来の取り付け方法のように、ブラケットを押し付けた後に、指示針で高さを微調整する必要がなくなる。
したがって、歯科医師の経験と勘に頼ることがなくなるため、熟練度を要せず、ブラケットを所定の取り付け位置に正確に取り付けることができる。
また、ブラケットの保持から歯面への取り付けまでの一連の作業を、ブラケットを保持部で保持した状態で行うことできるため、作業中に手がブラケットに触れることがない。
したがって、正確かつ衛生的にブラケットを取り付けることができるため、歯科医師の負担を軽減しつつ、確実な歯科矯正治療を安定して行うことができる。
【００４５】
また、請求項２記載の本考案に係るブラケット取付具は、保持部が長さ方向において把持軸部の軸中心と同位置に設けられているため、保持部が保持されたブラケットを歯面に押し付けた際に、把持軸部からの力を直接保持部へ伝達することができ、ブラケットを強固に取り付けることができる。
【００４６】
また、請求項３記載の本考案に係るブラケット取付具は、保持部が把持軸部の先端部から突出して設けられていることから、前歯及び小臼歯用の金属製ブラケットを保持した状態で歯面の一定の高さ位置にガイドして取り付けることができる。
したがって、歯科医師の経験と勘に頼ることがなくなるため、熟練度を要せず、前歯及び小臼歯用の金属製ブラケットを所定の取り付け位置に正確に取り付けることができる。
【００４７】
また、請求項４記載の本考案に係るブラケット取付具は、保持部がテーパ状に形成されていることから、ブラケットを溝部へ圧入し易く、ブラケットを保持し易い。
したがって、ブラケットを落とすことを心配する必要がなくなるため、歯科医師の負担を軽減することができ、ブラケットの取り付け作業に集中できる。
【００４８】
また、請求項５記載の本考案に係るブラケット取付具は、合成樹脂製であるため、金属製に比べて弾性変形することができる。
そのため、ブラケットに形成された溝部の幅寸法が保持部の厚さ寸法よりも小さい場合であっても、弾性変形することにより圧入することができる。
したがって、複数のブラケットを取り付ける際に、各々の溝部の幅寸法に多少のばらつきがあったとしても溝部に保持部を圧入してブラケットを保持することができるため、寸法が異なるブラケットに対応することができ、汎用性を向上させることができる。
さらに、合成樹脂製は従来の金属製にくらべて軽量な素材であるため、歯科医師の作業中における肉体的負担を軽減することができる。
【００４９】
また、請求項６記載の本考案に係るブラケット取付具は、保持部の先端部にブラケット形成空隙部が設けられていることから、溶融プラスチックをブラケット形成空隙部に流入し、保持部の先端部を歯に当接する際に、歯面の一定の高さ位置において固化させてプラスチック製ブラケットを固定することができる。
したがって、歯科医師の経験と勘に頼ることがなくなるため、熟練度を要せず、プラスチック製ブラケットを所定の取り付け位置に正確に取り付けることができる。
【００５０】
また、請求項７記載の本考案に係るブラケット取付具は、接続空隙部が、第一の空隙部及び第二の空隙部よりも細幅に形成されていることから、これらの空隙部に溶融プラスチックを流入して固化させることにより、プラスチック製ブラケットにパワーチェーンや輪ゴムを係合することができる細幅部位を容易に形成することができる。
【００５１】
また、請求項８記載の本考案に係るブラケット取付具は、保持部がシリコンで形成されているため、ブラケット形成空隙部を押し広げることができる。
したがって、ブラケット形成空隙部内において、開口付近よりも径大のプラスチック製ブラケットが形成された場合であっても、この開口部位を押し広げることにより、ブラケット形成空隙部からプラスチック製ブラケットを容易に取り外すことができる。
また、保持部が着脱可能に固定されていることから、比較的劣化し易いシリコン製の保持部を定期的に交換できるようになるため、把持軸部の長寿命化を図ることができる。
【００５２】
また、請求項９記載の本考案に係るブラケット取付具は、把持軸部及びガイド部が合成樹脂製であることから、金属製に比べて軽量な素材であるため、歯科医師の作業中における肉体的負担を軽減することができる。
【００５３】
また、請求項１０記載の本考案に係るブラケット取付具は、大臼歯用の金属製ブラケットに設けられているワイヤ挿通口に挿通保持片を挿通して保持し、大臼歯の歯面に取り付けることができるように形成されているため、大臼歯用の金属製ブラケットを歯面の一定の高さ位置にガイドして取り付けることができる。
したがって、歯科医師の経験と勘に頼ることがなくなるため、熟練度を要せず、大臼歯用の金属製ブラケットを所定の取り付け位置に正確に取り付けることができる。
【００５４】
また、請求項１１記載の本考案に係るブラケット取付具は、挿通保持片と対向した係合片が把持軸部の先端部に係合されていることから、挿通保持片を安定して保持することができるため、確実に大臼歯に関する歯科矯正治療を安定して行うことができる。
【００５５】
また、請求項１２記載の本考案に係るブラケット取付具は、爪片と係合穴部が係合することにより、挿通保持片を把持軸部の幅方向において確実に固定することができるため、大臼歯用の金属製ブラケットを取り付けた後に、挿通保持片をワイヤ挿通口から取り外す際に、大臼歯用の金属製ブラケットと保持部が一体的に外れる事態を防止することができる。
したがって、大臼歯用の金属製ブラケットを取り付けた後に、挿通保持片をワイヤ挿通口から安全に取り外すことができるため、より確実に大臼歯に関する歯科矯正治療を安定して行うことができる。
【００５６】
また、請求項１３記載の本考案に係るブラケット取付具は、把持軸部及びガイド部が合成樹脂製であることから、金属製に比べて軽量な素材であるため、歯科医師の作業中における肉体的負担を軽減することができる。
【００５７】
また、請求項１４及び１５記載の本考案に係るブラケット取付具は、ガイド部と歯の切端部との当接と、保持部に保持されたブラケットと歯面との当接を同時に行うことができるように形成されているため、ブラケットを歯面に取り付ける際に、高さ方向にずれることがなくなる。
したがって、いわゆる手元が狂うような事態を防止できるため、より確実な歯科矯正治療を安定して行うことができる。
【００５８】
また、請求項１６記載の本考案に係るブラケット取付具は、ガイド部が保持部から離間している間隔は、３．５ｍｍ、４．０ｍｍ、４．５ｍｍ又は５．０ｍｍに設定されていることから、複数の歯にブラケットを取り付ける際に、間隔の異なるブラケット取付具を選択して使用することができる。
したがって、歯の大きさ及び形状に合わせてブラケット取付具を選択して使用することにより、複数の歯を切端部から離れた歯面の一定の高さ位置に揃えることができる。
【００５９】
また、請求項１７記載の本考案に係るブラケット取付具は、歯当接部に中心線が設けられているため、歯面の幅方向中央部にガイド部を位置決めすることができる。
したがって、ブラケットの高さを均一に揃えるだけでなく、幅方向において歯面の中央部に揃えることができるため、より確実な歯科矯正治療を安定して行うことができる。
【００６０】
また、請求項１８〜１９記載の本考案に係るブラケット取付具は、ブラケットを取り付ける際に、把持軸部が邪魔にならず、ブラケットの取り付け部位を目視しやすくなる。
したがって、歯科医師が状況を目で確認しながら作業を行うことができるため、安心してブラケット取り付け作業を行うことができるため、より確実に歯科矯正治療を安定して行うことができる。
【００６１】
また、請求項２０記載の本考案に係るブラケット取付具は、一のブラケット取付部を使用している際に、ブラケット取付具を把持しながら反転することにより、１本のブラケット取付具で上顎部分と下顎部分にブラケットを取り付けることができるようになる。
【００６２】
また、請求項２１記載の本考案に係るブラケット取付具は、把持軸部が断面八角形に形成されていることから、手で把持した際に、手を滑らせて軸中心に回動することが無い。また、断面八角形状であるため、手で把持した際に違和感を覚えることがない。
また、把持軸部に膨出部を有しているため、ブラケットを歯に押し当てる際に、手が把持軸部の長さ方向に沿って滑った場合であっても膨出部がグリップ又はストッパの役割を果たすことができる。
したがって、ブラケットを取り付ける際に、把持軸部を軽く握るだけでブラケットの取り付け作業を行うことができるため、歯科医師がブラケット取り付け作業に集中することができるようになる。
したがって、作業中のミスを低減でき、歯科医師の負担を軽減することができるため、より安定した歯科矯正治療を行うことができる。
【考案を実施するための最良の形態】
【００６３】
以下、図面を用いて本考案を実施するための最良の形態について説明する。
本実施の形態に係る歯科矯正治療においてブラケットを歯に位置決めした状態で固定させうるブラケット取付具１０は、図１に示すように、把持軸部１１と、上記把持軸部１１の端部に設けられたブラケット取付部１２，１２とを有し、上記ブラケット取付部１２には、図２に示すように、ブラケットを保持しうる保持部１３と、上記保持部１３から所定間隔Ｌ１をおいて離間して配置されたガイド部１４を有し、上記ガイド部１４は、図３に示すように、上記保持部１３に保持された上記ブラケット１５が歯面１７と当接した場合に歯１６の切端部１８に当接し、上記ブラケット１５を歯１６の歯肉５５からの突出量に拘らず歯１６の切端部１８から離れた歯面１７の一定の高さ位置１９にガイドしうることを特徴とする。
【００６４】
また、上記保持部１３は、図１に示すように、長さ方向において上記把持軸部１１の軸中心と同位置に設けられ、上記ガイド部１４は、図１及び図２に示すように、上記把持軸部１１の軸中心よりも所定寸法分Ｌ１離間して設けられている。
【００６５】
また、上記ブラケット取付具１０は、図２に示すように、前歯及び小臼歯用の金属製ブラケットの取付具１０であって、上記保持部１３は、上記把持軸部１１の先端部３２から突出して設けられている。
【００６６】
また、上記保持部１３は、図２及び図４に示すように、側面テーパ状に形成され、ブラケット１５の溝部２２に挿入してブラケット１５の溝部２２と係合しうる厚さ寸法Ｌ２であると共にブラケット１５の溝部２２の長さ寸法Ｌ５と略同一の幅寸法Ｌ３である。
【００６７】
また、上記保持部１３及び上記把持軸部１１は、合成樹脂製である。
【００６８】
また、上記ガイド部１４は、図２に示すように、上記把持軸部１１の先端部３２から側方へ折曲して突出形成されている。
【００６９】
また、上記ガイド部１４は、図２に示すように、側面略Ｌ字状に形成され、先端部２３は上記保持部１３よりも前出している。
【００７０】
また、図２に示すように、上記ガイド部１４が上記保持部１３から離間している間隔Ｌ１は、３．５ｍｍ、４．０ｍｍ、４．５ｍｍ又は５．０ｍｍである。
【００７１】
また、上記ガイド部１４は、図２及び図３に示すように、細長板状の歯当接部２５を有し、歯当接部２５には、上記ガイド部１４が歯１６の切端部１８に当接した場合に、歯１６の幅方向中央部に上記保持部１３を配置させうる中心線２６が設けられている。
【００７２】
また、上記ブラケット取付部１２は、図１に示すように、上記把持軸部１１に対して所定角度θに傾斜して設けられている。
【００７３】
また、傾斜角度θは、例えば、１２５°傾斜して設けられている。
【００７４】
また、上記ブラケット取付部１２，１２は、図１に示すように、上記把持軸部１１の両端部２７，２８に一対に設けられ、その各々が、上記把持軸部１１の幅方向において反対方向に突出すると共に、上記把持軸部１１の高さ方向において反転するように配置されている。
【００７５】
また、上記把持軸部１１は、図５に示すように、断面八角形に形成されると共に、両端部側２７，２８の各々の所定位置には、図１に示すように、外方に膨出した膨出部２９，２９が形成されている。
【実施例１】
【００７６】
以下、図面を用いて本考案の実施例１に係るブラケット取付具１０について説明する。
本実施例に係るブラケット取付具１０は、図１に示すように、前歯及び小臼歯用の金属製ブラケットの取付具１０であって、全体棒状に形成された把持軸部１１と、上記把持軸部１１の両端部２７，２８に設けられた一対の先軸部３１，３１と、上記先軸部３１，３１の先端部３２，３２に設けられたブラケット取付部１２，１２とを有しており、合成樹脂により一体成形されている。
【００７７】
上記把持軸部１１は、図５に示すように、断面八角形状に形成されている。
上記把持軸部１１の両端部側２７，２８の各々所定位置には、図１に示すように、外方に略球状に膨出した膨出部２９，２９が設けられており、ブラケットを歯に押し当てる際に、手を支持しうるグリップ部又はストッパとして機能する。
上記把持軸部１１における上記膨出部２９，２９から両端部までの部位３３，３３は、図１に示すように、両端部２７，２８の方向に向かって全体テーパ状に形成されている。
【００７８】
上記先軸部３１，３１は、図１に示すように、所定角度θに屈曲して略くの字状に形成されている。
上記所定角度θは、ブラケットを歯に取付ける際に、歯面への取付け位置を視認することができる角度に形成されている。本実施例における上記所定角度θは、１２５°に設定されている。
上記一対の先軸部３１，３１は、図１に示すように、その各々が、上記把持軸部１１の幅方向において反対方向に突出して配置されると共に、上記把持軸部１１の高さ方向において反転して配置されている。
【００７９】
上記先軸部３１は、図２に示すように、屈曲部３４から上記把持軸部１１側に設けられた基軸部３５と、屈曲部３４から先端部３２側に設けられた折曲軸部３６により構成されている。
上記基軸部３５は、図２に示すように、上記把持軸部１１と同様に、断面八角形状に形成されており、上記把持軸部１１よりもやや小さい直径寸法である。
上記折曲軸部３６は、図２に示すように、断面長方形状に形成されており、上記基軸部３５と略同一の厚さ寸法及び幅寸法である。
【００８０】
上記ブラケット取付部１２は、図２に示すように、上記先軸部３１の先端部３２から前方に突出して設けられた保持部１３と、上記先軸部３１の先端部３２から側方へ折曲して突出形成されたガイド部１４とを有している。
【００８１】
上記保持部１３は、図１及び図２に示すように、長さ方向において上記把持軸部１１の軸中心と同位置に配置され、上記先軸部３１の先端部３２から突出して設けられた保持基部３７と、上記保持基部３７から前方に延設された保持板部３８により構成されている。
上記保持基部３７は、前方に向かって側面テーパ状に形成され、上記保持基部３７の幅寸法は、上記折曲軸部３６の幅寸法と略同一に形成されている。
上記保持板部３８は、図１及び図２に示すように、板状に形成され、長さ方向において上記把持軸部１１の軸中心と同位置に配置されている。
また、上記保持板部３８は、図２及び図４に示すように、後述するブラケット１５の溝部２２に挿入してブラケット１５の溝部２２と係合しうる厚さ寸法Ｌ２を有すると共にブラケット１５の溝部２２の長さ寸法Ｌ５と略同一の幅寸法Ｌ３を有している。
【００８２】
上記ガイド部１４は、図２に示すように、板状の側面Ｌ字状に形成され、折曲した部位から先端部２３側に設けられた歯当接部２５と、折曲した部位から上記先軸部３１の先端部３２側に設けられた延設部３９とを有している。
【００８３】
上記歯当接部２５は、図２に示すように、細長板状に形成され、上記保持板部３８から所定寸法Ｌ１離間して設けられている。また、図２に示すように、上記保持板部３８と略同一の方向に向かって形成されている。
上記歯当接部２５の先端部２３は、図２に示すように、略円弧状に形成され、保持部１３の先端部２４よりも前出している。
【００８４】
上記歯当接部２５には、図２及び図３に示すように、上記ガイド部１４が歯１６の切端部１８に当接した場合に、歯１６の幅方向中央部に上記保持部１３を配置させうる中心線２６が設けられている。
【００８５】
上記ガイド部１４が上記保持部１３から離間している間隔Ｌ１は、図２及び図３に示すように、歯１６の切端部１８から離れた歯面１７の所定位置までの間隔Ｌ６と略同一となるように形成されている。
上記延設部３９の長さ寸法は、図２に示すように、上記ガイド部１４が上記保持部１３から離間している間隔Ｌ１と略同一となるように形成されている。
なお、上記ガイド部１４が上記保持部１３から離間している間隔Ｌ１は、歯の種類により学術的に決められており、本実施例においては、前歯及び小臼歯用であることから、３．５ｍｍ、４．０ｍｍ、４．５ｍｍ、５．０ｍｍの４種類のブラケット取付具１０により構成されている。
【００８６】
以下、本考案の本実施例に用いるブラケットについて説明する。
本実施例に用いるブラケット１５は、一般的に用いられている歯科矯正用の金属製ブラケット１５であり、図４に示すように、金属製の板材で形成されたプレート４１と、上記プレート４１の表面から突出して側面略Ｌ字状を形成した４個のワイヤ係止部４２，４２，４２，４２により構成されている。
上記のように構成されたブラケット１５が、歯面に取り付けられ、上記ワイヤ係止部４２，４２，４２，４２の内面側にワイヤが挿通して係止され、歯列が矯正される。
また、図４に示すように、４個の上記ワイヤ係止部４２，４２，４２，４２の間隙に、上述した上記保持板部３８を圧入しうる溝部２２が形成されており、上記溝部２２の幅寸法Ｌ４は、図２に示すように、上記保持板部３８の厚さ寸法Ｌ２と略同一の寸法である。
【００８７】
以下、本実施例に係るブラケット取付具により上記ブラケットを保持する際に用いる基台４３について説明する。
ブラケットを保持する際に用いる基台４３は、図６に示すように、全体略直方形状に形成されており、上面部４４の対角線上に配置された２箇所の角部には、上記ブラケット１５を設置しうる寸法に形成された一対の切欠部４５，４５を有している。
上記基台４３を用いて上記ブラケット１５の溝部２２に上記保持部１３を圧入した状態を図７に示す。
図７に示すように、上記切欠部４５の底部４６から上記基台４３の底部４７の高さ寸法Ｌ７は、上記ガイド部１４の長さ寸法と上記保持部１３の長さ寸法の差Ｌ８よりも大きい寸法に形成されている。
したがって、上記基台４３は、図７に示すように、上記切欠部４５に設置された状態の上記ブラケット１５の溝部２２に上記保持部１３を圧入した際に、上記ガイド部１４の先端部２３が上記基台４３の載置面に当接することがない。
【００８８】
以下、本実施例に係る、上記ブラケット取付具及び上記基台を用いて、歯に上記ブラケットを取り付ける方法について説明する。
本実施例においては、下側の小臼歯１６にブラケットを取り付ける場合を例に挙げて説明する。
まず、ガイド部１４が保持部１３から離間している間隔Ｌ１が、３．５ｍｍ、４．０ｍｍ、４．５ｍｍ、５．０ｍｍに設定された４種類のブラケット取付具１０を準備する。
次に、小臼歯１６の大きさ及び形状を確認し、上記４種類のブラケット取付具１０から１本を選択する。
次に、ピンセット等（図示を省略する）によりブラケットを把持し、上記基台４３に形成された上記切欠部４５に、上記ワイヤ係止部４２，４２，４２，４２がプレート４１の上方に位置するように設置する。
次に、図７に示すように、上記保持部１３を上記ブラケット１５に形成された上記溝部２２に圧入する。
上記の状態のまま、上記ブラケット１５を上記基台４３から離間させ、図４に示すブラケット１５のプレート４１の接着面４８に接着剤を塗布する。上記接着剤は、光を照射して硬化することができるタイプの歯科医療で一般的に用いられているものである（接着剤は図示を省略する）。
次に、上記ガイド部１４が上記保持部１３の上方に位置するようにブラケット取付具１０を把持する。
上記接着剤が塗布されたブラケットを保持した状態で、上記ガイド部１４の歯当接部２５を矯正の対象となる小臼歯１６の切端部１８と当接させる。
上記の状態で、小臼歯１６の切端部１８からブラケット１５の取り付け位置までの寸法Ｌ６を目視にて確認し、取り付け位置に問題なければ、図３に示すように、上記歯当接部２５を上記小臼歯１６の切端部１８と当接した状態でスライドして、ブラケット１５を小臼歯１６に押し付ける。
上記のように押し付けた状態で、接着剤に光を照射して接着剤を硬化させてから、ブラケット取付具１０をブラケット１５から取り除く。
上記の取り付けに際しては、上記ブラケット１５に手が触れることがないように留意する。
上記のような取付作業を矯正の対象となるすべての歯に対し、反復して行う。
このように、歯の大きさ及び形状に合わせてガイド部１４が保持部１３から離間している間隔Ｌ１が異なったブラケット取付具１０を選択して使用することにより、図１６に示すように、小臼歯１６に取り付けたブラケット１５が、一定の高さ位置１９に取り付けられる。
なお、本実施例においては、下側の小臼歯にブラケットを取り付ける場合を例に説明したが、本実施例に限定されず、前歯及び上側の歯にブラケットを取り付ける場合に適用可能である。
【００８９】
以下、本実施例の作用について図１〜図７、図１６を用いて説明する。
本実施例に係るブラケット取付具１０は、ブラケット１０を保持部１３で保持し、歯１６の切端部１８にガイド部１４を当接した状態でブラケット１５を歯面１７に取り付ける際に、歯１６の歯肉５５からの突出量に拘らず歯１６の切端部１８から離れた歯面１７の一定の高さ位置１９にガイドすることができるため、正確なブラケット１５の取り付け位置１９を決定することができる。
そのため、ブラケット取付具１０のみで、隣接した歯と均一な高さにブラケット１５が位置決めされることとなるため、従来の取り付け方法のように、ブラケット１５を押し付けた後に、指示針で高さを微調整する必要がなくなる。
また、ブラケット１５の保持から歯面への取り付けまでの一連の作業を、ブラケット１５を保持部１３で保持した状態で行うことできるため、作業中に手がブラケット１５に触れることがない。
【００９０】
また、保持部１３が長さ方向において把持軸部１１の軸中心と同位置に設けられているため、保持部１３が保持されたブラケット１５を歯面１７に押し付けた際に、把持軸部１１からの力を直接保持部１３へ伝達することができ、ブラケット１５を強固に取り付けることができる。
【００９１】
また、保持部１３が先軸部３１の先端部３２から前方に突出して設けられていることから、前歯及び小臼歯用の金属製ブラケット１５を保持した状態で歯面１７の一定の高さ位置１９にガイドして固定することができる。
また、ガイド部１４と歯１６の切端部１８との当接と、保持部１３に保持されたブラケット１５と歯面１７との当接を同時に行うことができるように形成されているため、ブラケット１５を歯面１７に取り付ける際に、高さ方向にずれることがなくなる。
【００９２】
また、ブラケット取付具１０は合成樹脂製であるため、金属製に比べて弾性変形することができる。
そのため、ブラケット１５に形成された溝部２２の幅寸法Ｌ４が保持部１３の厚さ寸法Ｌ２よりも小さい場合であっても、弾性変形することにより圧入することができる。
したがって、複数のブラケット１５を取り付ける際に、各々の溝部２２の幅寸法Ｌ４に多少のばらつきがあったとしても保持部１３を溝部２２に圧入してブラケット１５を保持することができるため、寸法が異なるブラケットに対応することができるようにすることができ、汎用性を向上させることができる。
さらに、合成樹脂製は従来の金属製にくらべて軽量な素材であるため、歯科医師の作業中における肉体的負担を軽減することができる。
【００９３】
また、ガイド部１４が保持部１３から離間している間隔Ｌ１は、３．５ｍｍ、４．０ｍｍ、４．５ｍｍ又は５．０ｍｍに設定されていることから、複数の歯１６にブラケット１５を取り付ける際に、間隔Ｌ１の異なるブラケット取付具１０を選択して使用することができる。
したがって、歯１６の大きさ及び形状に合わせてブラケット取付具１０を選択して使用することにより、複数の歯１６を切端部１８から離れた歯面１７の一定の高さ位置１９に揃えることができる。
【００９４】
また、歯当接部２５に中心線２６が設けられていることから、歯面１７の幅方向中央部にガイド部１４を位置決めすることができるため、ブラケット１５の高さを均一に揃えるだけでなく、幅方向において歯面１７の中央部に揃えることができる。
【００９５】
また、ブラケット１５を取り付ける際に、把持軸部１１が邪魔にならず、ブラケット１５の取り付け部位を目視しやすくなる。
【００９６】
また、一方のブラケット取付部１２を使用している際に、ブラケット取付具１０を把持しながら反転することにより、他方のブラケット取付部１２を使用できるため、１本のブラケット取付具１２で上顎部分と下顎部分にブラケットを取り付けることができるようになる。
【００９７】
また、把持軸部１１が断面八角形に形成されていることから、手で把持した際に、手を滑らせて軸中心に回動することが無い。また、断面八角形状であるため、手で把持した際に違和感を覚えることがない。
さらに、把持軸部１１に膨出部２９，２９を有しているため、ブラケット１５を歯に押し当てる際に、手が把持軸部１１の長さ方向に沿って滑った場合であっても膨出部２９，２９がグリップ又はストッパの役割を果たすことができる。
したがって、ブラケット１５を取り付ける際に、把持軸部１１を軽く握るだけでブラケット１５の取り付け作業を行うことができるため、歯科医師がブラケット１５の取り付け作業に集中することができるようになる。
【実施例２】
【００９８】
以下、図面を用いて本考案の実施例２に係るブラケット取付具５０について説明する。
なお、上記実施例１と同一構成の部位に関しては、上記実施例１と同一の符号を用いるものとする。
本実施例に係る歯科矯正治療においてブラケットを歯に位置決めした状態で固定させうるブラケット取付具５０は、図８及び図９に示すように、前歯及び小臼歯用のプラスチック製ブラケットの取付具５０であって、全体棒状に形成された把持軸部１１と、上記把持軸部１１の両端部に設けられた一対の先軸部５１，５１と、上記先軸部５１，５１の先端部５２，５２に設けられたブラケット取付部５３，５３により構成されている。
上記把持軸部１１の構成については、上記実施例１と同様であるため、説明を省略する。
【００９９】
上記先軸部５１は、上記実施例１と同様に、屈曲して略くの字状に形成され、図８及び図９に示すように、屈曲部３４から上記把持軸部１１側に設けられた基軸部３５と、屈曲部３４から先端部５２側に設けられた折曲軸部５６により構成されている。
上記基軸部３５の構成については、上記実施例１と同様であるため、説明を省略する。
上記折曲軸部５６は、断面略長方形状に形成され、上記基軸部３５と略同一の幅寸法であり、上記基軸部３５よりも大きい厚さ寸法である。
上記折曲軸部５６の先端部５２には、図９に示すように、挿通固定口部５７が設けられ、上記折曲軸部５６の長さ方向に沿って横断面略円形状に形成されている。
上記挿通固定口部５７は、長さ方向において上記把持軸部１１の軸中心と同位置に配置され、直径寸法Ｌ９は、約３．０ｍｍである。
【０１００】
上記ブラケット取付部５３は、図８及び図９に示すように、上記挿通固定口部５７に着脱可能に固定された保持部５８と、上記先軸部５１の先端部５２から側方へ折曲して突出形成されたガイド部５９とを有し、上記把持軸部１１、上記先軸部５１、上記ガイド部５９が、合成樹脂により一体成形されている。
上記ガイド部５９は、上記実施例１と同様に、図８及び図９に示すように、板状の側面Ｌ字状に形成され、折曲した部位から先端部２３側に設けられた歯当接部２５と、折曲した部位から上記先軸部５１の先端部５２側に設けられた延設部５４とを有している。
なお、ガイド部５９が保持部５８から離間している間隔Ｌ１０は、歯の種類により学術的に決められており、本実施例においては、前歯及び小臼歯用であることから、３．５ｍｍ、４．０ｍｍ、４．５ｍｍ、５．０ｍｍの４種類のブラケット取付具５０により構成されている。
なお、上記ガイド部５９におけるその他の構成については、上記実施例１と同様であるため、説明を省略する。
【０１０１】
上記保持部５８は、図８及び図９に示すように、全体略円柱形状に形成され、上記挿通固定口部５７に挿通固定される挿通固定部６０と、上記挿通固定部６０の先端部６１から前方に延設された流入保持部６２により構成されている。上記流入保持部６２は、透明色のシリコン製である。
上記挿通固定部６０は、後端部６３に向かって細くなるテーパ状に形成され、後端部６３の直径寸法Ｌ１１が上記挿通固定口部５７の直径寸法Ｌ９と同一であり、先端部６１の直径寸法Ｌ１２が約３．５ｍｍである。
上記流入保持部６２は、上記挿通固定部６０よりも径大に形成され、先端部６４には、溶融プラスチックを流入固化させてブラケットを形成させうるブラケット形成空隙部６５が開口して設けられている。上記流入保持部６２の直径寸法Ｌ１３は、約５．５ｍｍである。
【０１０２】
上記ブラケット形成空隙部６５は、図８及び図９に示すように、上記流入保持部６２の先端部６４に設けられ、歯面に当接しうる開口を有する第一の空隙部６６と、上記第一の空隙部６６の後方に連続して設けられた接続空隙部６７と、上記接続空隙部６７の後方に連続して設けられた第二の空隙部６８により構成されている。
上記第一の空隙部６６は、横断面略円形状に形成されている。
上記接続空隙部６７は、横断面略円形状に形成され、直径寸法Ｌ１５が上記第一の空隙部６６の直径寸法Ｌ１４よりも小さい寸法で形成されている。
上記第二の空隙部６８は、横断面略円形状に形成され、直径寸法Ｌ１６が上記接続空隙部６７の直径寸法Ｌ１５よりも大きい寸法で形成されている。
【０１０３】
本実施例に用いるブラケット６９は、図１０に示すように、一般的に用いられている前歯及び小臼歯用のプラスチック製ブラケット６９であって、図８及び図９に示す上記流入開口部６５に溶融プラスチックを流入した後に、そのプラスチックに光を照射して固化させることにより形成される。
上記ブラケット６９は、図１０に示すように、歯面に当接するベースプレート７０と、上記ベースプレート７０から離間して設けられた係合プレート７１と、上記ベースプレート７０と上記係合プレート７１を接続する接続部７２により構成されている。
図１１に示すように、上記のように構成されたブラケット６９を歯面７３に取り付け、係合プレート７１の内面７４側に輪ゴム及びパワーチェーンを係合することにより、歯列の矯正が行われる（輪ゴム及びパワーチェーンの図示を省略する）。
【０１０４】
本実施例においては、下側の小臼歯７５に上記ブラケット６９を取り付ける場合を例に挙げて説明する。
まず、ガイド部５９が保持部５８から離間している間隔Ｌ１０が、３．５ｍｍ、４．０ｍｍ、４．５ｍｍ、５．０ｍｍに設定された４種類のブラケット取付具５０を準備する。
次に、小臼歯７５の大きさ及び形状を確認し、上記４種類のブラケット取付具５０から１本を選択する。
次に、図８及び図９に示すように、上記保持部５８を上記挿通固定口部５７に圧入して固定する。
次に、上記ブラケット形成空隙部６５に溶融プラスチックを流入する。この場合に、上記流入保持部６２の先端部６４と面一となるように流入する。
本実施例において使用する溶融プラスチックは、歯冠色の光重合型練成充填材である。
次に、上記ガイド部５９が上記保持部５８の上方に位置するようにブラケット取付具５０を把持する。
次に、図１１に示すように、上記ガイド部５９の歯当接部２５を矯正の対象となる小臼歯７５の切端部７６と当接させる。
上記の状態で、小臼歯７５の切端部７６からブラケット６９の取り付け位置までの寸法を目視にて確認し、取り付け位置に問題なければ、上記歯当接部２５を上記小臼歯７５の切端部７６と当接した状態でスライドし、ブラケット６９を歯面７３に押し付ける。
上記のように押し付けた状態で、溶融プラスチックに光を照射して固化させる。
この場合、上記保持部５８が透明色のシリコンで形成されているため、上記保持部５８の外側から溶融プラスチックに照射することができる。
溶融プラスチックが固化した後に、上記保持部５８をブラケット６９から取り外す。
この場合、保持部５８がシリコンで形成されていることから、接続空隙部６７を係合プレート７１の大きさまで押し広げることができるため、係合プレート７１をブラケット形成空隙部６５から取り外すことができる。
上記のような取付作業を矯正の対象となるすべての歯に対し、反復して行う。
なお、本実施例においては、下側の小臼歯にブラケットを取り付ける場合を例に説明したが、本実施例に限定されず、前歯及び上側の歯にブラケットを取り付ける場合に適用可能である。
【０１０５】
以下、本実施例の作用について図８〜図１１を用いて説明する。
本実施例に係るブラケット取付具５０は、流入保持部６２の先端部６４にブラケット形成空隙部６５が設けられていることから、溶融プラスチックをブラケット形成空隙部６５に流入し、流入保持部６２の先端部６４を歯面７３に当接する際に、歯面７３の一定の高さ位置１９において固化させてプラスチック製ブラケット６９を固定することができる。
【０１０６】
また、接続空隙部６７が、第一の空隙部６６及び第二の空隙部６８よりも細幅に形成されていることから、これらの空隙部６６，６７，６８に溶融プラスチックを流入して固化させることにより、プラスチック製ブラケット６９にパワーチェーンや輪ゴムを係合することができる接続部７２を容易に形成することができる。
【０１０７】
また、保持部５８がシリコンで形成されているため、ブラケット形成空隙部６５を押し広げることができる。
したがって、ブラケット形成空隙部６５内において、接続空隙部６７よりも径大の係合プレート７１が接続空隙部６７の奥側に形成された場合であっても、この接続空隙部６７を押し広げることにより、ブラケット形成空隙部６５からプラスチック製ブラケット６９を容易に取り外すことができる。
また、保持部５８が着脱可能に固定されていることから、比較的劣化し易いシリコン製の保持部５８を定期的に交換できる。
【０１０８】
また、把持軸部１１及びガイド部５９が合成樹脂製であることから、金属製に比べて軽量な素材であるため、歯科医師の作業中における肉体的負担を軽減することができる。
【実施例３】
【０１０９】
以下、図面を用いて本考案の実施例３に係るブラケット取付具８０について説明する。
なお、上記実施例１と同一構成の部位に関しては、上記実施例１と同一の符号を用いるものとする。
図１２及び図１３に示すように、本実施例に係る歯科矯正治療においてブラケットを歯に位置決めした状態で固定させうるブラケット取付具８０は、大臼歯用の金属製ブラケットの取付具８０であって、全体棒状に形成された把持軸部１１と、上記把持軸部１１の両端部に設けられた一対の先軸部７７，７７と、上記先軸部７７，７７の先端部７８，７８に設けられたブラケット取付部７９，７９により構成されている。
上記把持軸部１１の構成については、上記実施例１と同様であるため、説明を省略する。
【０１１０】
上記先軸部７７は、上記実施例１と同様に、屈曲して略くの字状に形成され、図１２及び図１３に示すように、屈曲部３４から上記把持軸部１１側に設けられた基軸部３５と、屈曲部３４から先端部７８側に設けられた折曲軸部８３により構成されている。
上記基軸部３５の構成については、上記実施例１と同様であるため、説明を省略する。
上記ブラケット取付部７９は、大臼歯用ブラケットを保持しうる保持部８９と、上記先軸部７７の先端部７８から側方へ折曲して突出形成されたガイド部９０とを有している。
【０１１１】
上記折曲軸部８３は、図１２に示すように、上記基軸部３５と略同一の幅寸法及び厚さ寸法で形成されると共に、厚さ方向に分割して形成されている。
厚さ方向に分割して形成されている上記折曲軸部８３は、図１３に示すように、厚さ方向において上記ガイド部９０側に配置され、上記基軸部３５と一体的に設けられた係合基部８４と、厚さ方向において上記ガイド部９０の反対側に配置されると共に、全体直方形状に形成され、上記係合基部８４に着脱可能に設けられた係合固定片８５により構成されている。
上記把持軸部１１、上記基軸部３５、上記係合基部８４、上記ガイド部９０は、図１２及び図１３に示すように、合成樹脂により一体成形されている。
上記係合基部８４における上記係合固定片８５との当接面８２には、図１３に示すように、上記折曲軸部８３の幅方向に沿って係合凹溝８６が設けられ、上記係合凹溝８６の底部８７には、係合穴部８８が設けられている。
【０１１２】
上記保持部８９は、図１３に示すように、金属製の平面略コ字状であると共に、横断面略四角形状に形成されている。
平面略コ字状に形成された上記保持部８９は、図１３に示すように、一方辺に設けられ、上記係合凹溝８６に係合する係合片９１と、上記係合片９１と対向した他方辺に設けられ、大臼歯用ブラケットに挿通して保持しうる挿通保持片９２と、上記係合片９１と上記挿通保持片９２を接続する接続片９３により構成されている。
上記係合片９１の先端には、厚さ方向に折曲して形成され、上記係合穴部８８と係合する爪片９４が設けられている。
上記係合片９１の幅寸法Ｌ１８及び厚さ寸法Ｌ１９は、上記係合凹溝８６の幅寸法Ｌ２０及び厚さ寸法Ｌ２１と略同一となるように形成されている。
上記保持部８９の装着は、図１２及び図１３に示すように、上記爪片９４と上記係合穴部８８を係合させると共に、上記係合片９１と上記係合凹溝８６を係合させた状態で、上記係合固定片８５を上記係合基部８４の当接面８２に当接させることにより行われる。
装着された上記保持部８９は、図１２に示すように、上記係合片９１の基端部９５が上記係合基部８４の幅方向外方に張り出して設けられ、上記接続片９３が上記係合基部８４の先端部７８よりも前出し、上記挿通保持片９２が上記係合基部８４の先端部７８から前方に離間すると共に、上記係合基部８４の幅方向に沿って配置されている。
【０１１３】
上記ガイド部９０は、上記実施例１と同様に、図１２及び図１３に示すように、板状の側面Ｌ字状に形成され、折曲した部位から先端部２３側に設けられた歯当接部２５と、折曲した部位から上記先軸部７７の先端部７８側に設けられた延設部８１とを有している。
なお、上記ガイド部９０が上記保持部８９から離間している間隔Ｌ１７は、歯の種類により学術的に決められており、本実施例においては、大臼歯用であることから、４．０ｍｍ、４．５ｍｍの２種類のブラケット取付具８０により構成されている。
その他の上記ガイド部９０の構成については、上記実施例１と同様であるため、説明を省略する。
【０１１４】
本実施例に用いるブラケット９６は、図１４に示すように、一般的に用いられている大臼歯用の金属製ブラケット９６であって、金属製の板材で形成されたベースプレート９７と、上記ベースプレート９７の表面９８から横断面半円形状に膨出して形成された膨出部９９と、上記膨出部９９の長さ方向に沿って貫通して設けられたワイヤ挿通口２０により構成されている。上記ワイヤ挿通口２０は、断面四角形状に形成され、幅寸法が０．０１８インチである。
図１５に示すように、上記のように構成されたブラケット９６を歯面３０に取り付け、上記ワイヤ挿通口２０にワイヤを挿通することにより、歯列の矯正が行われる（ワイヤの図示を省略する）。
【０１１５】
本実施例においては、下側の大臼歯４０に上記ブラケット９６を取り付ける場合を例に挙げて説明する。
まず、ガイド部９０が保持部８９から離間している間隔Ｌ１７が、４．０ｍｍ、４．５ｍｍに設定された２種類のブラケット取付具８０を準備する。
次に、大臼歯４０の大きさ及び形状を確認し、上記２種類のブラケット取付具８０から１本を選択する。
次に、上記挿通保持片９２を上記ワイヤ挿通口２０に挿通する。
上記の状態のまま、上記ブラケット９６の当接面３３に接着剤を塗布する。接着剤は、上記実施例１と同様に、光を照射して硬化することができるタイプの歯科医療で一般的に用いられているものである（接着剤は図示を省略する）。
次に、上記ガイド部９０が上記保持部８９の上方に位置するようにブラケット取付具８０を把持する。
次に、上記ガイド部９０の歯当接部２５を矯正の対象となる大臼歯４０の切端部４９と当接させる。
上記の状態で、大臼歯４０の切端部４９からブラケット９６の取り付け位置１９までの寸法を目視にて確認し、取り付け位置１９に問題なければ、上記歯当接部２５を上記大臼歯４０の切端部４９と当接した状態でスライドさせて、ブラケット９６の当接面３３を歯面３０に押し付ける。
上記のように押し付けた状態で、接着剤に光を照射して接着剤を硬化させてから、ブラケット取付具８０をブラケット９６から取り外す。
このように、歯の大きさ及び形状に合わせて、ガイド部９０が保持部８９から離間している間隔Ｌ１７が異なったブラケット取付具８０を選択して使用することにより、図１６に示すように、大臼歯４０に取り付けたブラケット９６が、他の小臼歯１６と同様に、一定の高さ位置１９に取り付けられる。
なお、本実施例においては、下側の大臼歯４０にブラケット９６を取り付ける場合を例に説明したが、本実施例に限定されず、上側の大臼歯にブラケットを取り付ける場合に適用可能である。
【０１１６】
以下、本実施例の作用について図１２〜図１５を用いて説明する。
本実施例に係るブラケット取付具８０は、大臼歯用の金属製ブラケット９６に設けられているワイヤ挿通口２０に挿通保持片９２を挿通して保持し、大臼歯４０の歯面３０に取り付けることができるように形成されているため、大臼歯用の金属製ブラケット９６を歯面３０の一定の高さ位置１９にガイドして取り付けることができる。
【０１１７】
また、挿通保持片９２と対向した係合片９１が係合凹溝８６に係合されていることから、挿通保持片９２を安定して保持することができるため、確実に大臼歯に関する歯科矯正治療を安定して行うことができる。
【０１１８】
また、爪片９４と係合穴部８８が係合することにより、挿通保持片９２を把持軸部１１の幅方向において確実に固定することができるため、大臼歯用の金属製ブラケット９６を取り付けた後に、挿通保持片９２をワイヤ挿通口２０から取り外す際に、大臼歯用の金属製ブラケット９６と保持部８９が一体的に外れる事態を防止することができる。
したがって、大臼歯用の金属製ブラケット９６を取り付けた後に、挿通保持片９２をワイヤ挿通口２０から安全に取り外すことができる。
【０１１９】
また、把持軸部１１及びガイド部９０が合成樹脂製であることから、金属製に比べて軽量な素材であるため、歯科医師の作業中における肉体的負担を軽減することができる。
【産業上の利用可能性】
【０１２０】
本考案は、主に歯科矯正用ブラケットの取付具に適用可能である。
【図面の簡単な説明】
【０１２１】
【図１】本考案に係るブラケット取付具の一実施の形態を示す斜視図である。
【図２】本考案に係るブラケット取付具の一実施の形態を示し、ブラケット取付部を示す斜視図である。
【図３】本考案に係るブラケット取付具の一実施の形態を示し、ブラケット取付具とブラケットと歯の関係を示す側面図である。
【図４】本考案に係るブラケット取付具の一実施の形態を示し、前歯及び小臼歯用の金属製ブラケットを示す斜視図である。
【図５】本考案に係るブラケット取付具の一実施の形態を示し、把持軸部を示す横断面図である。
【図６】本考案に係るブラケット取付具の一実施の形態を示し、ブラケット取付具を使用する際に用いる基台を示す斜視図である。
【図７】本考案に係るブラケット取付具の一実施の形態を示し、ブラケット取付具、ブラケット、基台の関係を示す斜視図である。
【図８】本考案に係るブラケット取付具の実施例２の形態を示し、ブラケット取付部を示す斜視図である。
【図９】本考案に係るブラケット取付具の実施例２の形態を示し、保持部と挿通固定口部の関係を示す斜視図である。
【図１０】本考案に係るブラケット取付具の実施例２の形態を示し、前歯及び小臼歯用のプラスチック製ブラケットを示す斜視図である。
【図１１】本考案に係るブラケット取付具の実施例２の形態を示し、ブラケット取付具とブラケットと歯の関係を示す側面図である。
【図１２】本考案に係るブラケット取付具の実施例３の形態を示し、ブラケット取付部を示す斜視図である。
【図１３】本考案に係るブラケット取付具の実施例３の形態を示し、保持部と係合凹溝の関係を示す斜視図である。
【図１４】本考案に係るブラケット取付具の実施例３の形態を示し、大臼歯用の金属製ブラケットを示す斜視図である。
【図１５】本考案に係るブラケット取付具の実施例３の形態を示し、ブラケット取付具とブラケットと歯の関係を示す側面図である。
【図１６】本考案に係るブラケット取付具の一実施の形態を示し、ブラケットを歯に取り付けた状態を示す正面図である。
【符号の説明】
【０１２２】
１０  ブラケット取付具
１１  把持軸部
１２  ブラケット取付部
１３  保持部
１４  ガイド部
１５  ブラケット
１６  小臼歯
１７  歯面
１８  切端部
１９  歯面の一定の高さ位置
２０  ワイヤ挿通口
２１  保持部の基端部
２２  溝部
２３  ガイド部の先端部
２４  保持部の先端部
２５  歯当接部
２６  中心線
２７、２８  把持軸部の端部
２９  膨出部
３０  歯面
３１  先軸部
３２  先軸部の先端部
３３  当接面
３４  屈曲部
３５  基軸部
３６  折曲軸部
３７  保持基部
３８  保持板部
３９  延設部
４０  大臼歯
４１  プレート
４２  ワイヤ係止部
４３  基台
４４  基台の上面部
４５  切欠部
４６  切欠部の底部
４７  基台の底部
４８  接着面
４９  切端部
５０  ブラケット取付具
５１  先軸部
５２  先軸部の先端部
５３  ブラケット取付部
５４  延設部
５５  歯肉
５６  折曲軸部
５７  挿通固定口部
５８  保持部
５９  ガイド部
６０  挿通固定部
６１  挿通固定部の先端部
６２  流入保持部
６３  挿通固定部の後端部
６４  流入保持部の先端部
６５  ブラケット形成空隙部
６６  第一の空隙部
６７  接続空隙部
６８  第二の空隙部
６９  プラスチック製ブラケット
７０  ベースプレート
７１  係合プレート
７２  接続部
７３  歯面
７４  係合プレートの内面
７５  小臼歯
７６  切端部
７７  先軸部
７８  先軸部の先端部
７９  ブラケット取付部
８０  ブラケット取付具
８１  延設部
８２  当接面
８３  折曲軸部
８４  係合基部
８５  係合固定片
８６  係合凹溝
８７  係合凹溝の底部
８８  係合穴部
８９  保持部
９０  ガイド部
９１  係合片
９２  挿通保持片
９３  接続片
９４  爪片
９５  係合固定片の基端部
９６  大臼歯用の金属製ブラケット
９７  ベースプレート
９８  ベースプレートの表面
９９  膨出部
Ｌ１  保持部とガイド部の離間寸法
Ｌ２  保持部の厚さ寸法
Ｌ３  保持部の幅寸法
Ｌ４  溝部の幅寸法
Ｌ５  溝部の長さ寸法
Ｌ６  切端部から歯面の所定位置までの寸法
Ｌ７  基台の底部から切欠部の底部までの寸法
Ｌ８  ガイド部の先端部から保持板部の先端部までの寸法
Ｌ９  挿通固定口部の直径寸法
Ｌ１０  保持部とガイド部の離間寸法
Ｌ１１  挿通固定部の後端部の直径寸法
Ｌ１２  挿通固定部の先端部の直径寸法
Ｌ１３  流入保持部の直径寸法
Ｌ１４  第一の空隙部の直径寸法
Ｌ１５  接続空隙部の直径寸法
Ｌ１６  第二の空隙部の直径寸法
Ｌ１７  保持部とガイド部の離間寸法
Ｌ１８  係合片の幅寸法
Ｌ１９  係合片の厚さ寸法
Ｌ２０  係合凹溝の幅寸法
Ｌ２１  係合凹溝の厚さ寸法
θ    傾斜角度
【図１】
0003122411.tif 000003
【図２】
0003122411.tif 000004
【図３】
0003122411.tif 000005
【図４】
0003122411.tif 000006
【図５】
0003122411.tif 000007
【図６】
0003122411.tif 000008
【図７】
0003122411.tif 000009
【図８】
0003122411.tif 000010
【図９】
0003122411.tif 000011
【図１０】
0003122411.tif 000012
【図１１】
0003122411.tif 000013
【図１２】
0003122411.tif 000014
【図１３】
0003122411.tif 000015
【図１４】
0003122411.tif 000016
【図１５】
0003122411.tif 000017
【図１６】
0003122411.tif 000018
【手続補正書】
【提出日】平成18年3月31日(2006.3.31)
【手続補正１】
【補正対象書類名】実用新案登録請求の範囲
【補正対象項目名】全文
【補正方法】変更
【補正の内容】
【実用新案登録請求の範囲】
【請求項１】
歯科矯正治療においてブラケットを歯に位置決めした状態で固定させうるブラケット取付具であって、把持軸部と、上記把持軸部の端部に設けられたブラケット取付部とを有し、
上記ブラケット取付部には、ブラケットを保持しうる保持部と、上記保持部から所定間隔をおいて離間して配置されたガイド部とを有し、上記ガイド部は、上記保持部に保持された上記ブラケットが歯面と当接した場合に歯の切端部に当接し、上記ブラケットを歯の歯肉からの突出量に拘らず歯の切端部から離れた歯面の一定の高さ位置にガイドしうることを特徴とするブラケット取付具。
【請求項２】
上記保持部は、長さ方向において上記把持軸部の軸中心と同位置に設けられ、上記ガイド部は、上記把持軸部の軸中心よりも所定寸法分離間して設けられていることを特徴とする請求項１記載のブラケット取付具。
【請求項３】
上記ブラケット取付具は、前歯及び小臼歯用の金属製ブラケットの取付具であって、上記保持部は、上記把持軸部の先端部から突出して設けられていることを特徴とする請求項１または２記載のブラケット取付具。
【請求項４】
上記保持部は、側面テーパ状に形成され、ブラケットの溝部に挿入してブラケットの溝部と係合しうる厚さ寸法であると共にブラケットの溝部の長さ寸法と略同一の幅寸法であることを特徴とする請求項３記載のブラケット取付具。
【請求項５】
上記保持部及び上記把持軸部は、合成樹脂製であることを特徴とする請求項３または４記載のブラケット取付具。
【請求項６】
上記ブラケット取付具は、前歯及び小臼歯用のプラスチック製ブラケットの取付具であって、上記保持部は、その先端部に開口して設けられ、溶融プラスチックを流入固化させてブラケットを形成させうるブラケット形成空隙部を有していることを特徴とする請求項１または２記載のブラケット取付具。
【請求項７】
上記ブラケット形成空隙部は、先端部に開口して設けられ、歯面に当接しうる開口を有する第一の空隙部と、上記第一の空隙部に連続して設けられた接続空隙部と、上記接続空隙部に連続して設けられた第二の空隙部とを有し、上記接続空隙部は、上記第一の空隙部及び第二の空隙部よりも細幅に形成されていることを特徴とする請求項６記載のブラケット取付具。
【請求項８】
上記把持軸部の先端部には、挿通固定口部が設けられ、上記保持部は、シリコン製であり、上記挿通固定口部に着脱可能に固定されていることを特徴とする請求項６または７記載のブラケット取付具。
【請求項９】
上記把持軸部及び上記ガイド部は、合成樹脂製であることを特徴とする請求項６〜８のいずれか１項に記載のブラケット取付具。
【請求項１０】
上記ブラケット取付具は、大臼歯用の金属製ブラケットの取付具であって、上記保持部は、大臼歯用ブラケットに挿通して保持しうる挿通保持片を有し、上記挿通保持片は、上記把持軸部の先端部から前方に離間して設けられると共に、上記把持軸部の幅方向に沿って配置されていることを特徴とする請求項１または２記載のブラケット取付具。
【請求項１１】
上記把持軸部の先端部には、係合凹溝が設けられ、上記保持部は、上記係合凹溝と係合する係合片を有し、上記係合片は、上記挿通保持片と対向して設けられていることを特徴とする請求項１０記載のブラケット取付具。
【請求項１２】
上記係合片の端部には、爪片が設けられ、上記係合凹溝には、上記爪片と係合する係合穴部が形成されていることを特徴とする請求項１０または１１記載のブラケット取付具。
【請求項１３】
上記把持軸部及び上記ガイド部は、合成樹脂製であり、上記保持部は、金属製であることを特徴とする請求項１０〜１２のいずれか１項に記載のブラケット取付具。
【請求項１４】
上記ガイド部は、上記把持軸部の先端部から側方へ折曲して突出形成されていることを特徴とする請求項１〜１３のいずれか１項に記載のブラケット取付具。
【請求項１５】
上記ガイド部は、側面略Ｌ字状に形成され、先端部は上記保持部よりも前出していることを特徴とする請求項１〜１４のいずれか１項に記載のブラケット取付具。
【請求項１６】
上記ガイド部が上記保持部から離間している間隔は、３．５ｍｍ、４．０ｍｍ、４．５ｍｍ又は５．０ｍｍであることを特徴とする請求項１〜１５のいずれか１項に記載のブラケット取付具。
【請求項１７】
上記ガイド部は、細長板状の歯当接部を有し、歯当接部には、上記ガイド部が歯の切端部に当接した場合に、歯の幅方向中央部に上記保持部を配置させうる中心線が設けられていることを特徴とする請求項１〜１６のいずれか１項に記載のブラケット取付具。
【請求項１８】
上記ブラケット取付部は、上記把持軸部に対して所定角度傾斜して設けられていることを特徴とする請求項１〜１７のいずれか１項に記載のブラケット取付具。
【請求項１９】
上記ブラケット取付部は、把持軸部の長さ方向に対して１２５°傾斜して設けられていることを特徴とする請求項１〜１７のいずれか１項に記載のブラケット取付具。
【請求項２０】
上記ブラケット取付部は、上記把持軸部の両端部に一対に設けられ、
その各々が、上記把持軸部の幅方向において反対方向に突出して配置されると共に、上記把持軸部の高さ方向において反転して配置されていることを特徴とする請求項１〜１９のいずれか１項に記載のブラケット取付具。
【請求項２１】
上記把持軸部は、断面八角形に形成されると共に、両端部側の各々の所定位置には、外方に膨出した膨出部が形成されていることを特徴とする請求項１〜２０のいずれか１項に記載のブラケット取付具。